(57)【要約】【課題】ユーザーの気分を推定して、その局面にあった楽曲を自動的に選曲することが可能な楽曲選択システムを提供する。【解決手段】本楽曲選択システム１０は、人体の脈拍を計測するためのセンサ４２を含み、楽曲選択に対応したタイミングでユーザーの脈拍の計測を行う脈拍計測部４０と、人体の運動量を計測するためのセンサ５２を含み、楽曲選択に対応したタイミングでユーザーの運動量の計測を行う運動量計測部５０と、脈拍に対応して設定された第１のインデックス値と、運動量に対応して設定された第２のインデックス値とを有するデジタル楽曲データが記憶される楽曲データ記憶部７０と、計測された脈拍、運動量のそれぞれに応じて選択対象範囲となる第１及び第２のインデックス値を決定し、決定された選択対象範囲に属する第１及び第２のインデックス値を有する楽曲データを抽出する処理を行う楽曲選択処理部３０と、含む。【選択図】      図１
2007052710.tif 000002
【特許請求の範囲】
【請求項１】
楽曲選択システムであって、
人体の脈拍を計測するためのセンサを含み、楽曲選択に対応したタイミングでユーザーの脈拍の計測を行う脈拍計測部と、
人体の運動量を計測するためのセンサを含み、楽曲選択に対応したタイミングでユーザーの運動量の計測を行う運動量計測部と、
脈拍に対応して設定された第１のインデックス値と、運動量に対応して設定された第２のインデックス値とを有するデジタル楽曲データが記憶される楽曲データ記憶部と、
計測された脈拍、運動量のそれぞれに応じて選択対象範囲となる第１及び第２のインデックス値を決定し、決定された選択対象範囲に属する第１及び第２のインデックス値を有する楽曲データを抽出する処理を行う楽曲選択処理部と、
を含むことを特徴とする楽曲選択システム。
【請求項２】
楽曲選択システムであって、
人体の脈拍を計測するためのセンサを含み、楽曲選択に対応したタイミングでユーザーの脈拍の計測を行う脈拍計測部と、
脈拍に対応して設定された第１のインデックス値を有するデジタル楽曲データが記憶される楽曲データが記憶部と、
計測された脈拍に応じて選択対象範囲となる第１のインデックス値を決定し、決定された選択対象範囲に属する第１のインデックス値を有する楽曲データを抽出する処理を行う楽曲選択処理部と、
を含むことを特徴とする楽曲選択システム。
【請求項３】
楽曲選択システムであって、
人体の運動量を計測するためのセンサを含み、楽曲選択に対応したタイミングでユーザーの運動量の計測を行う運動量計測部と、
運動量に対応して設定された第２のインデックス値とを有するデジタル楽曲データが記憶される楽曲データが記憶部と、
計測された運動量に応じて選択対象範囲となる第２のインデックス値を決定し、決定された選択対象範囲に属する第２のインデックス値を有する楽曲データを抽出する処理を行う楽曲選択処理部と、
を含むことを特徴とする楽曲選択システム。
【請求項４】
請求項１乃至３のいずれかにおいて、
楽曲選択に対応したタイミングで時刻を取得する時刻取得部を含み、
前記楽曲データは時刻に対応して設定された第３のインデックス値を含み、
前記楽曲選択処理部は、
取得された時刻に応じて選択対象範囲となる第３のインデックス値を決定し、決定された選択対象範囲に属する第３のインデックス値を有する楽曲データを抽出することを特徴とする楽曲選択システム。
【請求項５】
請求項１乃至４のいずれかにおいて、
楽曲選択時刻に対応した楽曲抽出条件の設定入力を受け付け、設定入力に基づき抽出対象となる第３のインデックスの値の条件を定義した時刻条件を設定する時刻条件設定部を含み、
前記楽曲選択処理部は、
時刻条件を加味して第３のインデックスを有する楽曲データを検索して候補となる楽曲を抽出することを特徴とする楽曲選択システム。
【請求項６】
請求項１乃至５のいずれかにおいて、
過去に選択又はキャンセルされた楽曲と脈拍、運動量、時刻の少なくとも１つの値との関係に関する履歴情報を保持し、
前記楽曲選択処理部は、
前記履歴情報を加味して候補となる楽曲を選択することを特徴とする楽曲選択システム。
【請求項７】
請求項１乃至６のいずれかにおいて、
前記楽曲選択処理部は、
計測された脈拍、運動量のそれぞれに応じて選択対象範囲となる第１のインデックス値及び第２のインデックス値の中心点の値を決定し、決定された中心点と楽曲の有する第１のインデックス値及び第２のインデックス値によって決定される位置との距離に基づき選択する楽曲を決定することを特徴とする楽曲選択システム。
【請求項８】
請求項１乃至７のいずれかにおいて、
前記楽曲選択処理部は、
計測された脈拍、運動量のそれぞれに応じて選択対象範囲となる第１のインデックス値及び第２のインデックス値及び第３のインデックス値の中心点の値を決定し、決定された中心点と楽曲の有する第１のインデックス値及び第２のインデックス値及び第３のインデックス値によって決定される位置との距離に基づき選択する楽曲を決定することを特徴とする楽曲選択システム。
【請求項９】
デジタルオーデオ装置と楽曲配信サーバ装置がネットワークを介して通信可能に構成された楽曲配信システムであって、
前記デジタルオーデオ装置は、
人体の脈拍を計測するためのセンサを含み、楽曲選択に対応したタイミングでユーザーの脈拍の計測を行う脈拍計測部と、
人体の運動量を計測するためのセンサを含み、楽曲選択に対応したタイミングでユーザーの運動量の計測を行う運動量計測部と、
計測された脈拍、運動量を伴う配信要求を楽曲配信サーバ装置に送信する配信要求送信手段と、
楽曲配信装置から配信された楽曲データを受信する手段と、
受信した楽曲データを再生する手段と、を含み、
前記楽曲配信サーバ装置は、
デジタルオーデオ装置が送信した脈拍、運動量を伴う配信要求を受信する手段と、
脈拍に対応して設定された第１のインデックス値と、運動量に対応して設定された第２のインデックス値とを有するデジタル楽曲データが記憶される楽曲データ記憶部と、
配信要求とともに受信した脈拍、運動量のそれぞれに応じて選択対象範囲となる第１及び第２のインデックス値を決定し、決定された選択対象範囲に属する第１及び第２のインデックス値を有する楽曲データを抽出する処理を行う楽曲選択処理部と、
選択した楽曲データを配信要求に対応したデジタルオーデオ装置に送信する手段と、
を含むことを特徴とする楽曲配信システム。
【請求項１０】
請求項９において、
前記楽曲配信サーバ装置は、
楽曲データ記憶部は、
時刻に対応して設定された第３のインデックス値を含む楽曲データを記憶し、
前記楽曲選択処理部は、
取得された時刻に応じて選択対象範囲となる第３のインデックス値を決定し、決定された選択対象範囲に属する第３のインデックス値を有する楽曲データを抽出することを特徴とする楽曲配信システム。
【請求項１１】
請求項９乃至１０のいずれかにおいて、
デジタルオーデオ装置は、
楽曲選択時刻に対応した楽曲抽出条件の設定入力を受け付け、設定入力に基づき抽出対象となる第３のインデックスの値の条件を定義した時刻条件を設定する時刻条件設定部と、
前記時刻条件をサーバに送信する時刻条件送信処理部とを含み
を含み、
前記楽曲配信サーバ装置は、
デジタルオーデオ装置が送信した時刻条件を受信し、
前記楽曲選択処理部は、
時刻条件を加味して第３のインデックスを有する楽曲データを検索して候補となる楽曲を抽出することを特徴とする楽曲配信システム。
【請求項１２】
請求項９乃至１１のいずれかにおいて、
前記楽曲配信サーバ装置の前記楽曲選択処理部は、
計測された脈拍、運動量のそれぞれに応じてターゲット範囲となる第１のインデックス値及び第２のインデックス値及び第３のインデックス値の中心点の値を決定し、決定された中心点と楽曲の有する第１のインデックス値及び第２のインデックス値及び第３のインデックス値によって決定される位置との距離に基づき選択する楽曲を決定することを特徴とする楽曲配信システム。
【請求項１３】
請求項９乃至１２のいずれかに記載のデジタルオーデオ装置。
【請求項１４】
請求項９乃至１３のいずれかに記載の楽曲配信サーバ装置。
【発明の詳細な説明】
【技術分野】
【０００１】
本発明は、楽曲選択システム、楽曲配信システム、デジタルオーデオ装置及び楽曲配信サーバ装置に関する。
【背景技術】
【０００２】
最近のデジタルオーデオ装置は、記憶装置に膨大な数の楽曲データを記憶可能である。
【特許文献１】特開昭６２−１８３７４１号
【発明の開示】
【発明が解決しようとする課題】
【０００３】
しかし多数の楽曲を記憶させることができても選曲が大変で、一部の同じ曲しか再生しないというユーザーもおおく、多くの楽曲を記憶できることのメリットが享受できなかった。
【０００４】
また毎週毎週多数の楽曲が発表されるが、そのなかから気に入った楽曲を選ぶのは大変であり、ユーザーはもっといい曲があるのではないかと思っても、すべてを視聴するのは困難であった。
【０００５】
選曲のわずらわしさをへらすために事前に設定した楽曲のカテゴリに従って楽曲を分類しておいて、その中で自動的にランダムに楽曲を選択するデジタルオーデオ装置等も開発されている。
【０００６】
しかし必ずしもユーザーの気分にあった曲が選択されるとは限らなかった。
【０００７】
本発明は、以上のような技術的課題にって鑑みてなされたものであり、ユーザーの気分を推定して、その局面にあった楽曲を自動的に選曲することが可能な楽曲選択システム、楽曲配信システム、デジタルオーデオ装置及び楽曲配信サーバ装置を提供することである。
【課題を解決するための手段】
【０００８】
（１）本発明は、
楽曲選択システムであって、
人体の脈拍を計測するためのセンサを含み、楽曲選択に対応したタイミングでユーザーの脈拍の計測を行う脈拍計測部と、
人体の運動量を計測するためのセンサを含み、楽曲選択に対応したタイミングでユーザーの運動量の計測を行う運動量計測部と、
脈拍に対応して設定された第１のインデックス値と、運動量に対応して設定された第２のインデックス値とを有するデジタル楽曲データが記憶される楽曲データ記憶部と、
計測された脈拍、運動量のそれぞれに応じて選択対象範囲となる第１及び第２のインデックス値を決定し、決定された選択対象範囲に属する第１及び第２のインデックス値を有する楽曲データを抽出する処理を行う楽曲選択処理部と、
を含むことを特徴とする。
【０００９】
計測された脈拍、運動量のそれぞれに応じて選択対象範囲となる第１及び第２のインデックス値を決定する場合には、選択対象範囲の代表点間または中心点の値を決定してもよいし、選択対象範囲の両端の値を決定してもよい。
【００１０】
楽曲選択処理部は、複数の候補となる楽曲を抽出して、抽出した楽曲のなかから最終楽曲をランダムに選択するようにしてもよい。
【００１１】
センサとは、物理量、化学量又は物理的・化学的性質を信号処理が可能な連続量又は離散量に変換する素子又は装置である。
【００１２】
センサはターゲットに関する生体情報をセンシングするものであればよく、例えば脈拍センサでも良いし、温度センサでもよいし、加速度センサでもよい。
【００１３】
脈拍計測部は、例えばセンサとしてフォトセンサを用いて脈拍を計測するようにしてもよい。
【００１４】
運動量は、歩数等も含む
運動量計測部は、例えばセンサとして加速度センサを用いて歩数や運動量を計測するようにしてもよい。
【００１５】
本発明によればその時々のユーザーの脈拍と運動量からリアルタイムにユーザーの気分を推定し、その時々の気分にあった楽曲を自動的に選択することができる。従ってユーザーが大量の楽曲の楽曲から曲を選択する面倒な作業なしに、その時々のユーザーの気分にあった楽曲を楽しむことができるデジタルオーデオ装置を提供することができる。
【００１６】
（２）本発明は、
楽曲選択システムであって、
人体の脈拍を計測するためのセンサを含み、楽曲選択に対応したタイミングでユーザーの脈拍の計測を行う脈拍計測部と、
脈拍に対応して設定された第１のインデックス値を有するデジタル楽曲データが記憶される楽曲データが記憶部と、
計測された脈拍に応じて選択対象範囲となる第１のインデックス値を決定し、決定された選択対象範囲に属する第１のインデックス値を有する楽曲データを抽出する処理を行う楽曲選択処理部と、
を含むことを特徴とする。
【００１７】
（３）本発明は、
楽曲選択システムであって、
人体の運動量を計測するためのセンサを含み、楽曲選択に対応したタイミングでユーザーの運動量の計測を行う運動量計測部と、
運動量に対応して設定された第２のインデックス値とを有するデジタル楽曲データが記憶される楽曲データが記憶部と、
計測された運動量に応じて選択対象範囲となる第２のインデックス値を決定し、決定された選択対象範囲に属する第２のインデックス値を有する楽曲データを抽出する処理を行う楽曲選択処理部と、
を含むことを特徴とする。
【００１８】
（４）本発明の楽曲選択システムは、
楽曲選択に対応したタイミングで時刻を取得する時刻取得部を含み、
前記楽曲データは時刻に対応して設定された第３のインデックス値を含み、
前記楽曲選択処理部は、
取得された時刻に応じて選択対象範囲となる第３のインデックス値を決定し、決定された選択対象範囲に属する第３のインデックス値を有する楽曲データを抽出することを特徴とする。
【００１９】
計測時刻取得部は例えば脈拍計測や楽曲選択ボタンの押下をトリガとして内部時計より日時を取得するようにしてもよい。
【００２０】
取得された時刻に応じて選択対象範囲となる第３のインデックス値を決定する場合には、選択対象範囲の代表点間または中心点の値を決定してもよいし、選択対象範囲の両端の値を決定してもよい。
【００２１】
本発明によれば時刻の要素も加味してユーザーの気分にあった曲の選択を行うことができる。
【００２２】
（５）本発明の楽曲選択システムは、
楽曲選択時刻に対応した楽曲抽出条件の設定入力を受け付け、設定入力に基づき抽出対象となる第３のインデックスの値の条件を定義した時刻条件を設定する時刻条件設定部を含み、
前記楽曲選択処理部は、
時刻条件を加味して第３のインデックスを有する楽曲データを検索して候補となる楽曲を抽出することを特徴とする。
【００２３】
時刻とユーザーの気分や行動形態は人それぞれである。本発明によればユーザーが自分にあった楽曲選択時刻に対応した楽曲抽出条件の設定を行うことができるので、ユーザー個別の行動形態を反映して楽曲の選択が可能となる。
【００２４】
なお測定された脈拍に対応した楽曲抽出条件の設定入力を受け付け、設定入力に基づき抽出対象となる第１のインデックスの値の条件を定義した脈拍条件を設定する脈拍条件設定部を含み、
前記楽曲選択処理部は、
脈拍条件を加味して第１のインデックスを有する楽曲データを検索して候補となる楽曲を抽出するようにしてもよい。
【００２５】
また測定された運動量に対応した運動量抽出条件の設定入力を受け付け、設定入力に基づき抽出対象となる第２のインデックスの値の条件を定義した運動量条件を設定する運動量条件設定部を含み、
前記楽曲選択処理部は、
運動量条件を加味して第１のインデックスを有する楽曲データを検索して候補となる楽曲を抽出するようにしてもよい。
【００２６】
（６）本発明の楽曲選択システムは、
過去に選択又はキャンセルされた楽曲と脈拍、運動量、時刻の少なくとも１つの値との関係に関する履歴情報を保持し、
前記楽曲選択処理部は、
前記履歴情報を加味して候補となる楽曲を選択することを特徴とする。
【００２７】
運動量や脈拍とユーザーの好む楽曲の関係は必ずしも皆おなじではないが、本発明によれば、過去の履歴情報によりユーザーの選択傾向を学習して、学習を選択に反映させることができる。従って個別のユーザーの嗜好を反映させた楽曲選択が行えるようにようになる。
【００２８】
（７）本発明の楽曲選択システムは、
前記楽曲選択処理部は、
計測された脈拍、運動量のそれぞれに応じて選択対象範囲となる第１のインデックス値及び第２のインデックス値の中心点の値を決定し、決定された中心点と楽曲の有する第１のインデックス値及び第２のインデックス値によって決定される位置との距離に基づき選択する楽曲を決定することを特徴とする。
【００２９】
第１のインデックス及び第２のインデックスを座標軸とする２次元平面を想定し、当該２次元平面における中心点と楽曲の位置の距離が近いものを優先して選択するようにしてもよい。
【００３０】
（８）本発明の楽曲選択システムは、
前記楽曲選択処理部は、
計測された脈拍、運動量のそれぞれに応じて選択対象範囲となる第１のインデックス値及び第２のインデックス値及び第３のインデックス値の中心点の値を決定し、決定された中心点と楽曲の有する第１のインデックス値及び第２のインデックス値及び第３のインデックス値によって決定される位置との距離に基づき選択する楽曲を決定することを特徴とする。
【００３１】
第１のインデックス及び第２のインデックス及び第３のインデックスを座標軸とする３次元空間を想定し、当該３次元空間における中心点と楽曲の位置の距離が近いものを優先して選択するようにしてもよい。
【００３２】
（９）本発明は、
デジタルオーデオ装置と楽曲配信サーバ装置がネットワークを介して通信可能に構成された楽曲配信システムであって、
前記デジタルオーデオ装置は、
人体の脈拍を計測するためのセンサを含み、楽曲選択に対応したタイミングでユーザーの脈拍の計測を行う脈拍計測部と、
人体の運動量を計測するためのセンサを含み、楽曲選択に対応したタイミングでユーザーの運動量の計測を行う運動量計測部と、
計測された脈拍、運動量を伴う配信要求を楽曲配信サーバ装置に送信する配信要求送信手段と、
楽曲配信装置から配信された楽曲データを受信する手段と、
受信した楽曲データを再生する手段と、を含み、
前記楽曲配信サーバ装置は、
デジタルオーデオ装置が送信した脈拍、運動量を伴う配信要求を受信する手段と、
脈拍に対応して設定された第１のインデックス値と、運動量に対応して設定された第２のインデックス値とを有するデジタル楽曲データが記憶される楽曲データ記憶部と、
配信要求とともに受信した脈拍、運動量のそれぞれに応じて選択対象範囲となる第１及び第２のインデックス値を決定し、決定された選択対象範囲に属する第１及び第２のインデックス値を有する楽曲データを抽出する処理を行う楽曲選択処理部と、
選択した楽曲データを配信要求に対応したデジタルオーデオ装置に送信する手段と、
を含むことを特徴とする。
【００３３】
本発明によれば、楽曲配信サーバは、ネットワーク介してデジタルオーデオ装置から受信したユーザーの脈派や運動量に応じて曲を選択して、デジタルオーデオ装置に配信することができる。
【００３４】
従ってユーザーは膨大な曲のなかから選択の手間なしに自分の気分にあった楽曲の配信をうけることができる。
【００３５】
また楽曲配信サーバはユーザーの好みそうな曲を選択して配信できるので、効率よい曲配信サービスを提供することができる。
【００３６】
（１０）本発明の楽曲選択システムは、
前記楽曲配信サーバ装置は、
楽曲データ記憶部は、
時刻に対応して設定された第３のインデックス値を含む楽曲データを記憶し、
前記楽曲選択処理部は、
取得された時刻に応じて選択対象範囲となる第３のインデックス値を決定し、決定された選択対象範囲に属する第３のインデックス値を有する楽曲データを抽出することを特徴とする。
【００３７】
ここにおいて時刻はデジタルオーデオ装置から受信してもよいし、楽曲配信サーバ側で取得したものでもよい。
【００３８】
（１１）本発明の楽曲選択システムは、
デジタルオーデオ装置は、
楽曲選択時刻に対応した楽曲抽出条件の設定入力を受け付け、設定入力に基づき抽出対象となる第３のインデックスの値の条件を定義した時刻条件を設定する時刻条件設定部と、
前記時刻条件をサーバに送信する時刻条件送信処理部とを含み
を含み、
前記楽曲配信サーバ装置は、
デジタルオーデオ装置が送信した時刻条件を受信し、
前記楽曲選択処理部は、
時刻条件を加味して第３のインデックスを有する楽曲データを検索して候補となる楽曲を抽出することを特徴とする。
【００３９】
（１２）本発明の楽曲選択システムは、
前記楽曲配信サーバ装置の前記楽曲選択処理部は、
計測された脈拍、運動量のそれぞれに応じてターゲット範囲となる第１のインデックス値及び第２のインデックス値及び第３のインデックス値の中心点の値を決定し、決定された中心点と楽曲の有する第１のインデックス値及び第２のインデックス値及び第３のインデックス値によって決定される位置との距離に基づき選択する楽曲を決定することを特徴とする。
【００４０】
第１のインデックス及び第２のインデックス及び第３のインデックスを座標軸とする３次元空間を想定し、当該３次元空間における中心点と楽曲の位置の距離が近いものを優先して選択するようにしてもよい。
【００４１】
（１３）本発明の楽曲選択システムは、上記のいずれかに記載のデジタルオーデオ装置である。
【００４２】
（１４）本発明の楽曲選択システムは、上記のいずれかに記載の楽曲配信サーバ装置である。
【発明を実施するための最良の形態】
【００４３】
以下、本発明の好適な実施の形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００４４】
図１は、本実施の形態の楽曲選択システム１０、デジタルオーデオ装置９０の機能ブロック図の一例である。なお、本実施形態の楽曲選択システム１０、デジタルオーデオ装置９０は、図１の構成要素（各部）を全て含む必要はなく、その一部を省略した構成としてもよい。
【００４５】
デジタルオーデオ装置９０は、楽曲選択システム１０、楽曲再生部９４、音出力部９６、操作部９２を含む。
【００４６】
楽曲再生部９４は、選択された楽曲の楽曲データを楽曲データ記憶部７０から読み出して、楽曲データに基づき楽音を再生して、音出力部９６に出力する処理を行う。
【００４７】
音出力部９６は、楽音再生部９４により再生された音を出力するものであり、その機能は、スピーカ、或いはヘッドフォンなどにより実現できる。
【００４８】
操作部９２は、ユーザーが操作データを入力するためのものであり、その機能はボタンなどにより実現できる。
【００４９】
本実施形態の楽曲選択システム１０は、処理部２０、脈拍計測部４０、運動量計測部５０、計測時刻取得部６０、楽曲データ記憶部７０、通信処理部８０を含む。
【００５０】
処理部２０（プロセッサ）は、脈拍計測部４０、運動量計測部５０、計測時刻取得部６０からのデータやプログラムなどに基づいて、楽曲選択システム（デジタルオーデオ装置）を動作させるための各種処理などを行うもので、楽曲選択処理部３０として機能する。処理部２０の機能は各種プロセッサ（ＣＰＵ、ＤＳＰ等）、ＡＳＩＣ（ゲートアレイ等）などのハードウェアや、プログラムにより実現できる。
【００５１】
楽曲選択処理部３０は、計測された脈拍、運動量のそれぞれに応じて選択対象範囲となる第１及び第２のインデックス値を決定し、決定された選択対象範囲に属する第１及び第２のインデックス値を有する楽曲データを抽出する処理を行う。
【００５２】
脈拍計測部４０は、人体の脈拍を計測するためのセンサ４２を含み、楽曲選択に対応したタイミングでユーザーの脈拍の計測を行う。
【００５３】
センサ４２は脈派を計測するために必要な物理量、化学量又は物理的・化学的性質を検出するためのセンサであり、例えばフォトセンサ等でもよい。脈派情報計測部４０は、センサ４２、ＡＦＥ（アナログフロントエンド回路）、Ｉ／Ｆマイクロコンピュータ等の実現可能で、センサ４０の出力する生体情報計測値（アナログデータ）をＡＦＥを介してＩ／Ｆマイクロコンピュータ入力し、Ｉ／Ｆマイクロコンピュータでデジタルデータに変換された脈派情報計測値を処理部に出力するようにしてもよい。
【００５４】
運動量計測部５０は、人体の運動量を計測するためのセンサ５２を含み、楽曲選択に対応したタイミングでユーザーの運動量の計測を行う。
【００５５】
センサ５２は運動量（歩数でもよい）脈派を計測するために必要な物理量、化学量又は物理的・化学的性質を検出するためのセンサであり、例えば加速度センサ等でもよい。運動量報計測部５０は、センサ５２、ＡＦＥ（アナログフロントエンド回路）、Ｉ／Ｆマイクロコンピュータ等の実現可能で、センサ４０の出力する生体情報計測値（アナログデータ）をＡＦＥを介してＩ／Ｆマイクロコンピュータ入力し、Ｉ／Ｆマイクロコンピュータでデジタルデータに変換された脈派情報計測値を処理部に出力するようにしてもよい。
【００５６】
計測時刻取得部６０は、生体情報の計測日時を取得するのもで、例えば内部時計等により実現できる。
【００５７】
楽曲データ記憶部７０は、脈拍に対応して設定された第１のインデックス値と、運動量に対応して設定された第２のインデックス値とを有するデジタル楽曲データが記憶されるもので、ＲＡＭ、ＳＤＲＡＭ、ＦＬＡＳＨメモリ（各種のフラッシュメモリカードを含む）、光ディスク（ＣＤ、ＤＶＤ等）、光磁気ディスク（ＭＯ）、磁気ディスク、ハードディスク等の書き換え可能な情報記憶媒体により実現される。
【００５８】
通信処理部８０は、外部（例えばホスト装置や他の端末機）との間で通信を行うための各種の制御を行うものであり、その機能は、各種プロセッサ又は通信用ＡＳＩＣなどのハードウェアや、プログラムなどにより実現できる。
【００５９】
図２（Ａ）〜（Ｃ）は、本実施の形態の特徴について説明するための図であり、図３は本実施の形態の楽曲データの構成について説明するための図である。
【００６０】
本実施の形態では、各楽曲データには、図３に示すようにＸ（第２のインデックス）２２０、Ｙ（第１のインデックス）２３０、Ｚ（第３のインデックス）２４０が付加されている。ここでＸ（第２のインデックス）２２０は運動量に関連付けた値が設定され、Ｙ（第１のインデックス）は脈派に関連付けた値が設定され、Ｚ（第３のインデックス）は時刻に関連付けた値が設定されている。
【００６１】
Ｘ（第２のインデックス）２２０に運動量に関連付けた値が設定されるとは、運動量と選択される楽曲のＸ（第２のインデックス）２２０値に所定の関係（例えば関数関係）を持たせ、当該所定の関係（例えば関数関係）に従ってあらかじめ各楽曲のＸ（第２のインデックス）設定しておくことをいう。
【００６２】
例えば計測された運動量と選択する楽曲のＸ（第２のインデックス）に比例関係を持たせる場合には、運動量が大きい場合に選択する楽曲のＸ（第２のインデックス）には運動量が小さい場合に選択する楽曲のＸ（第２のインデックス）に比べ相対的に大きな値を設定しておくようにしてもよい。
【００６３】
また例えば運動量を、非常に少ない、少ない、中、多い、非常に多い等の複数の区分に分類し、各分類について選択する楽曲のＸ（第２のインデックス）の範囲を定義した運動量−Ｘテーブルを用意しておくようにしてもよい。
【００６４】
Ｙ（第１のインデックス）２３０に脈拍に関連付けた値が設定されるとは、脈拍と選択される楽曲のＹ（第１のインデックス）２３０値に所定の関係（例えば関数関係）を持たせ、当該所定の関係（例えば関数関係）に従ってあらかじめ各楽曲のＹ（第１のインデックス）設定しておくことをいう。例えば計測された脈拍と選択する楽曲のＹ（第１のインデックス）に比例関係を持たせる場合には、脈拍が大きい場合に選択する楽曲のＹ（第１のインデックス）には脈拍が小さい場合に選択する楽曲のＹ（第１のインデックス）に比べ相対的に大きな値を設定しておくようにしてもよい。
【００６５】
また例えば脈拍を、非常に低い、やや低い、通常、やや高い、非常に高い等の複数の区分に分類し、各分類について選択する楽曲のＹ（第１のインデックス）の範囲を定義した脈拍−Ｙテーブルを用意しておくようにしてもよい。
【００６６】
Ｚ（第３のインデックス）２４０に時刻に関連付けた値が設定されるとは、時刻と選択される楽曲のＺ（第３のインデックス）２４０値に所定の関係（例えば関数関係）を持たせ、当該所定の関係（例えば関数関係）に従ってあらかじめ各楽曲のＺ（第３のインデックス）設定しておくことをいう。例えば時刻を朝、午前、昼、午後、夕方、夜、深夜等の複数の区分に分類し、各分類について選択する楽曲のＺ（第３のインデックス）の範囲を定義した時刻−Ｚテーブルを用意しておくようにしてもよい。
【００６７】
本実施の形態では、図２（Ａ）に示すように、Ｘ軸が活動度を示し、Ｙ軸が興奮度を示し、Ｚ軸が時刻を示す仮想的な楽曲空間を設定し、各楽曲に付加されたインデックスＸ、Ｙ、Ｚの値に基づき、楽曲を当該楽曲空間に配置する。
【００６８】
そして計測された運動量、脈拍、時刻により、楽曲空間内における選択対象範囲（ターゲット範囲）の位置（Ｘ、Ｙ、Ｚ位置）を決定する。
【００６９】
図２（Ｂ）は、前記楽曲空間のＸＹ平面におけるＸ（活動度（運動量と相関関係あり））、Ｙ（興奮度（脈拍と相関関係あり））とユーザーの「気分」の関係（本実施の形態で推定する関係）である。すなわち０を平常時の運動量（Ｘ軸）脈拍（Ｙ軸）とすると、運動量（Ｘ）＞平常時の運動量（０）かつ脈拍（Ｙ）＞平常時の脈拍（０）である領域Iは、「ユーザーが運動中」３１０であると推定する。また運動量（Ｘ）＞平常時の運動量（０）かつ脈拍（Ｙ）＜平常時の脈拍（０）である領域IIは、「ユーザーがお疲れ」３２０であると推定する。また運動量（Ｘ）＜平常時の運動量（０）かつ脈拍（Ｙ）＞平常時の脈拍（０）である領域IIIは、「ユーザーがイライラしている」３３０であると推定する。また運動量（Ｘ）＜平常時の運動量（０）かつ脈拍（Ｙ）＜平常時の脈拍（０）である領域IＶは、「ユーザー安静状態」３４０であると推定する。
【００７０】
図２（Ｃ）は、時刻とユーザーの気分の関係を示す図である。本実施の形態では、時刻とユーザーの気分のパターンを予め設定できるようになっている。例えば１日の時間帯を指定して、時間帯に応じてユーザーの気分を「ＵＰ」「ＤＯＷＮ」と設定することができる。このようにすると、時刻に応じてユーザーの設定した「気分」を反映した楽曲の選択を行うことができる。
【００７１】
図３は楽曲データ記憶部に記憶されている、楽曲データの構成の一例である。楽曲識別ＩＤ２１０に対応して各楽曲データ２５０が記憶されており、楽曲データには、Ｘ（第２のインデックス）２２０、Ｙ（第１のインデックス）２３０、Ｚ（第３のインデックス）２４０が付加されている。
【００７２】
ここにおいて各楽曲のＸ（第２のインデックス）２２０には、運動量との関係という観点から抽出した楽曲の要素（例えばテンポやリズムやジャンル等）に対応して対応して当該楽曲を評価した指数が設定されている。
【００７３】
また各楽曲のＹ（第１のインデックス）２３０には、脈拍との関係という観点から抽出した楽曲の要素（例えばテンポやリズムやジャンル等）に対応して当該楽曲を評価した指数が設定されている。
【００７４】
また各楽曲のＺ（第３のインデックス）２４０には、時刻に対応して設定されたユーザーの気分との関係という観点から抽出した楽曲の要素（例えばテンポやリズムやジャンル等）に対応して当該楽曲を評価した指数が設定されている。
【００７５】
図４は本実施の形態の楽曲選択の処理を示すフローチャートである。
【００７６】
まず時刻とユーザーの気分との関係の設定入力を受け付け、設定入力に基づき時刻と抽出対象となる第３のインデックスの値の関係を定義する時刻条件を設定する（ステップＳ１０）。
【００７７】
次に脈派情報取得用の押下部への接触を検出すると、ステップＳ２０〜Ｓ６０の処理を行う（ステップＳ２０）。
【００７８】
次に押下部を介して取得した情報に基づき脈派を測定する（ステップＳ３０）。
【００７９】
遅疑に脈派取得のタイミングで測定されている運動量を取得するステップＳ４０）。
【００８０】
次に脈派の計測日時を取得する（ステップＳ５０）。
【００８１】
そして脈拍、運動量、時刻と時刻に関連して設定された抽出条件のそれぞれに応じてターゲット範囲となる第１、第２、第３のインデックス値を決定し、決定されたターゲット範囲に属するインデックス値を有する楽曲データを抽出して再生する（ステップＳ６０）。
【００８２】
図５は本実施の形態の楽曲選択の詳細な処理を示すフローチャートである。
【００８３】
まず脈拍、運動量、時刻と時刻に関連して設定された抽出条件のそれぞれにおいてターゲット範囲の中心点となる第１、第２、第３のインデックス値を決定する（ステップＳ１１０）。
【００８４】
次に中心点を含む所定範囲をターゲット範囲と決定し、決定されたターゲット範囲のなかで中心点と楽曲の有するＸ，Ｙ，Ｚ値によって決定される位置が最も近い楽曲を選択して再生する（ステップＳ１２０）。
ここでユーザーからのキャンセルキーの入力を受け付けると、ターゲット範囲に属する他の楽曲を選択して再生する（ステップＳ１３０、Ｓ１４０）。
【００８５】
再びユーザーからのキャンセルキーの入力を受け付けると、中心点を原点０に対して所定の角度だけ回転させた位置に変更してステップＳ１１０からの処理を繰り返す（ステップＳ１５０、Ｓ１６０）
中心点を原点０に対して所定の角度だけ回転させた位置に変更するとは、例えば中心点を原点０に対して線対称に反転させる場合でもよいし、所定の軸に対して線対象に反転させる場合でもよいし、中心点と原点０を含む平面内で所定角度単位で回転させる場合でもよい。
【００８６】
図６は、本実施の形態の脈拍計測部の構成を説明するための機能ブロック図である。
【００８７】
本実施の形態の脈拍計測部はセンサ内蔵スイッチとして構成するようにしてもよい。センサ内蔵スイッチ１１０は、押下部への接触を検出して接触検出信号１２８を出力するスイッチ１２０と、押下部に接触したターゲットの脈拍を計測する脈拍計測部（５０，４０、３０）を含む。
【００８８】
脈拍計測部（５０，４０、３０）は、ターゲットの所与の情報を計測するために必要な物理量、化学量又は物理的・化学的性質を検出可能な位置に配置されたセンサ１３０を含み、押下部（スイッチ）への前記接触検出信号１２８を開始トリガとして、人体の生体情報を計測する。
【００８９】
センサ１３０は人体の脈拍情報をセンシングするものであればよく、例えば光検出機やフォトセンサでもよい。
【００９０】
前記接触検出信号を開始トリガとして、人体の脈拍情報情報を計測するとは、例えばセンサ自体が接触検出信号によりＯＮ状態となりセンシングを行う場合でもよいし、センサ自体は常時センシングを行っているが、接触検出信号によりセンサの検出結果を利用して計測を行う範囲を決定するような場合でもよい。
【００９１】
押下部は、ユーザーの指により操作されるように構成され、前記センサは、押下部に接触した指の脈拍を計測するように構成してもよい。
【００９２】
センサ１３０が光検出型である場合には、指と押下部の隙間から外光が入ることによる外乱を防止するための外乱防止部１４０を含むようにしてもよい。
【００９３】
またスイッチの内部にセンサ１３０及びセンサの駆動に必要な回路（センサ補助装置１５０）を組み込むようにしてもよい。
【００９４】
本実施の形態によればセンサがスイッチ内部にあるため、特にセンサに指を当てるというような不自然な行動をしなくても、スイッチを「押す」という「誰も
が身に付いた行動の間に必要な脈拍計測を行ってしまえるという効果がある。
【００９５】
そしてスイッチを押されたタイミングで計測することで、センシング可能な位置にターゲットが存在することが担保できるので、正しい計測が行われていることの保証となる。
【００９６】
図７は脈拍計測部の構成の一例について説明するための図である。
【００９７】
生体情報計測部として機能する脈拍測定用センサ内蔵スイッチ２２０は、スイッチ１２０の内部にフォトセンサ１３０と、センサ補助装置として機能するＬＥＤ１５０と、外乱防止装置として機能する外乱光防止用ラバー１４０を含む。
【００９８】
ＬＥＤ１５０はＬＥＤ駆動電源１５２に接続され、スイッチの表面に接触したターゲット（ここでは人体の指２００）に対し光を照射可能な位置に配置される。
【００９９】
ＬＥＤ１５０は、押下部に接触しているターゲットに対し検出用の光を照射する光照射部として機能する。
【０１００】
フォトセンサ１３０はフォトセンサ電源１３２に接続され、スイッチの表面に接触したターゲット（ここでは人体の指２００）からの反射光を受光可能な位置に配置される。
【０１０１】
脈拍測定用センサ内蔵スイッチ２２０の押下部１２２（スイッチの表面の指が触れる部分）は、ユーザーの指２００により操作されるように構成され、センサ（ここではフォトセンサ１３０）は、押下部１２２に接触した指２００のヘモグロビン２１０に反射した光をセンシングする。
【０１０２】
押下部１２２とセンサ（ここではフォトセンサ１３０）間は光通過部１２４が設けられ、この光通過部１２４を通過した光をフォトセンサ１３０が受光して、この受光量により押下部１２２に接触した指の脈拍を計測する。
【０１０３】
ここで指２００と押下部１２２の隙間から外光（外乱光１４２）が光通過部１２４に入ることを防止するための外乱防止部（外乱光防止用ラバー１４０）を含むようにしてもよい。
【０１０４】
外乱防止部は例えば外光（外乱光１４２）が光通過部１２４に入ることを防止するために押下部の回りにゴム等の弾性体を配置して実現することもできる。
【０１０５】
例えば押下部１２２の押下によって発生する接触検出信号によって、ＬＥＤから光１５４が照射されるようにしてもよい。そして光通過部１２４を通過した光１５４が押下部１２２におかれた指２００の血中に含まれるヘモグロビン２１０に当たると反射し、反射光１５６は、再び光通過部１２４を通過し、この反射光１５６をフォトセンサ１３０が受光する。フォトセンサは接触検出信号によって起動され、所与の期間反射光の受光量を検出し、受光量から測定値である脈拍が演算される。
【０１０６】
ここで光照射部（ここではＬＥＤ１５０）は、例えば近赤外線を発光し、フォトセンサ１３０は近赤外線を受光するようにしてもよい。ただしこの場合には外乱光が指を通過しやすい。
【０１０７】
また光照射部（ここではＬＥＤ１５０）は、例えば青色光を発光し、フォトセンサ１３０は青色光を受光するようにしてもよい。このように押下部に接触しているターゲットに対し検出用の光を照射する光照射部を含み、前記センサは光照射部から照射された光のターゲットに対する反射光を受光するように構成されている場合に、光照射部は、検出用の光として青色光を照射するようにすると外乱光の影響を受けにくくなる。
【０１０８】
図８は、本実施形態の楽曲配信システムの構成の一例である。
【０１０９】
本実施形態の楽曲配信システム５００は、デジタルオーデオ装置８００と楽曲配信サーバ装置６００がネットワーク７００を介して通信可能に構成される。
【０１１０】
なお、ネットワーク７００内には携帯電話８００のための基地局やパケットの分解組立装置、インターネット等が介在している。また、実際には複数のデジタルオーデオ装置８００がネットワーク７００を介して楽曲配信サーバ装置６００と接続されている。
【０１１１】
楽曲配信サーバ装置６００は、サーバ装置６１０と楽曲データベース９００とを含む。サーバ装置６１０は、デジタルオーデオ装置８００から伝送路を介して送信される（運動量、脈拍の情報）を伴う配信要求に基づき楽曲データベースの楽曲を選択して配信要求に対応したデジタルオーデオ装置８００に送信する処理等を行う。
【０１１２】
図９は、本実施形態のデジタルオーデオ装置８００と楽曲配信サーバ６００の機能ブロック図の一例である。
【０１１３】
デジタルオーデオ装置８００は、処理部８２０、脈拍計測部８４０、運動量計測部８５０、計測時刻取得部８６０、楽曲データ記憶部８７０、通信処理部８８０、楽曲再生部８９４、音出力部８９６、操作部８９２を含む。
【０１１４】
楽曲再生部８９４は、選択された楽曲の楽曲データを楽曲データ記憶部８７０から読み出して、楽曲データに基づき楽音を再生して、音出力部８９６に出力する処理を行う。
【０１１５】
音出力部８９６は、楽音再生部８９４により再生された音を出力するものであり、その機能は、スピーカ、或いはヘッドフォンなどにより実現できる。
【０１１６】
操作部８９２は、ユーザーが操作データを入力するためのものであり、その機能はボタンなどにより実現できる。
【０１１７】
処理部８２０は、キー入力部８９２からの操作データやプログラムなどに基づいて、デジタルオーデオ装置を動作させるための各種処理などを行うもので、処理部８２０の機能は各種プロセッサ（ＣＰＵ、ＤＳＰ等）、ＡＳＩＣ（ゲートアレイ等）などのハードウェアや、プログラムにより実現できる。
【０１１８】
脈拍計測部８４０は、人体の脈拍を計測するためのセンサ（例えば光センサやフォトセンサ）８４２を含み、楽曲選択に対応したタイミングでユーザーの脈拍の計測を行う。
【０１１９】
運動量計測部８５０は、人体の運動量を計測するためのセンサ（例えば加速度センサ）８５２を含み、楽曲選択に対応したタイミングでユーザーの運動量の計測を行う。
【０１２０】
計測時刻取得部８６０は、脈拍の計測日時を取得するのもで、例えば内部時計等により実現できる。
【０１２１】
通信処理部８８０は、外部（例えばホスト装置や他の端末機）との間で通信を行うための各種の制御を行うものであり、その機能は、各種プロセッサ又は通信用ＡＳＩＣなどのハードウェアや、プログラムなどにより実現できる。
【０１２２】
通信処理部８８０は、計測された脈拍、運動量を伴う配信要求を楽曲配信サーバ装置に送信する配信要求送信手段として機能する。
【０１２３】
また、通信処理部８８０は、楽曲配信装置から配信された楽曲データを受信する手段して機能する。
【０１２４】
一方サーバ装置５１０は、処理部５２０と記憶部５６０と情報記憶媒体５７０と送受信部５９０を含んでいる。
【０１２５】
送受信部５９０はデジタルオーデオ装置８００からの配信要求信号を受信し、楽曲データを送信するもので、送信機能と受信機能の両方を有するが、送信手段と受信手段とに分散して送受信機能を実現してもよい。
【０１２６】
送受信部５９０は例えばＰＡＤ（パケット分解組立）機能を有する通信装置等により実現され、データベース９００は例えばハードディスク（磁気ディスク）等により実現される。
【０１２７】
送受信部５９０は、デジタルオーデオ装置が送信した脈拍、運動量を伴う配信要求を受信する手段として機能する。
【０１２８】
また送受信部５９０は、選択した楽曲データを配信要求に対応したデジタルオーデオ装置に送信する手段として機能する。
【０１２９】
記憶部５６０は処理部５２０や送受信部５９０などのワーク領域となるものでありその機能は例えばＲＡＭ等のハードウエアにより実現される。
【０１３０】
処理部５２０は受信した処理要求に基づき処理を行うもので、その機能は例えばＣＰＵ等により実現される。
【０１３１】
処理部５２０は、判別部５３０、楽曲選択処理部５４０を含む。
【０１３２】
判別部５３０は受信した配信要求に基づき、どのデジタルオーデオ装置８００が送信したかを判別する。
【０１３３】
楽曲選択処理部５４０は、配信要求とともに受信した脈拍、運動量のそれぞれに応じて選択対象範囲となる第１及び第２のインデックス値を決定し、決定された選択対象範囲に属する第１及び第２のインデックス値を有する楽曲データを抽出する処理を行う。
【０１３４】
情報記憶媒体（コンピュータにより使用可能な記憶媒体）５７０は、プログラムやデータなどの情報を格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などのハードウェアにより実現できる。
【０１３５】
処理部５２０は、この情報記憶媒体５７０に格納される情報に基づいて本発明（本実施形態）の種々の処理を行う。即ち情報記憶媒体５７０には、本発明（本実施形態）の手段（特に処理部１００に含まれるブロック）を実行するための情報（プログラム或いはデータ）が格納される。
【０１３６】
また、楽曲データベース９００は、データの送受信を行う送受信部９９０と、楽曲データ９３０を利用可能な状態で記憶した情報記憶部９２０とを含んで構成されている。
【０１３７】
楽曲データ９３０は、脈拍に対応して設定された第１のインデックス値と、運動量に対応して設定された第２のインデックス値とを有するデジタル楽曲データが記憶されており、例えば図３で説明したような構成を有している。
【０１３８】
図１０は本実施の形態の楽曲配信システムの処理の流れを示すフローチャートである。
【０１３９】
ステップＳ２１０〜Ｓ２７０はデジタルオーデオ装置の動作であり、ステップＳ３１０〜Ｓ３３０は楽曲配信サーバ装置６００の動作である。
【０１４０】
まずデジタルオーデオ装置は、インデックス値（脈拍や運動量）の計測を行う（ステップＳ２１０）。
【０１４１】
次に計測されたインデックス値（脈拍や運動量）を伴う配信要求を楽曲配信サーバ装置に送信する（ステップＳ２２０）。
【０１４２】
インデックス値（脈拍や運動量）を伴う配信要求を受信した楽曲配信サーバ装置は、サーバ内の楽曲データベースを検索して、配信要求とともに受信したインデックス値（脈拍、運動量）のそれぞれに応じてターゲット範囲となる第１のインデックス値及び第２のインデックス値（代表点間または中心点の値でもよいし、範囲の両端の値でもよい）決定し、決定されたターゲット範囲に属する第１のインデックス値及び第２のインデックス値を有する楽曲データを抽出する（ステップＳ３１０）。
【０１４３】
そして選択した楽曲の楽曲データを配信要求を行ったデジタルオーデオ装置に配信する（ステップＳ３２０）。
【０１４４】
配信された楽曲データを受信したデジタルオーデオ装置は、視聴のための楽曲データの再生を行う（ステップＳ２３０）。
【０１４５】
そしてユーザーからの購入意思を受け付け、購入意思がないと判断した場合には視聴データを消去する処理を行う（ステップＳ２４０、Ｓ２５０）。
【０１４６】
また購入意思があると判断した場合には、楽曲データ取得の取得通知を楽曲配信サーバ装置に送信する（ステップＳ２６０）。
【０１４７】
デジタルオーデオ装置から楽曲データ取得通知を受信した楽曲配信サーバ装置は課金処理を行い課金通知をデジタルオーデオ装置に送信する（ステップＳ３３０）。
【０１４８】
課金通知を受信したデジタルオーデオ装置は、楽曲データを楽曲データ記憶部に保存する（ステップＳ２７０）。
【０１４９】
以上本発明を適用した好適な実施の形態について説明してきたが、本発明の適用は上述した実施例に限定されない。
【０１５０】
なお、本発明は本実施形態に限定されず、本発明の要旨の範囲内で種々の変形実施が可能である。
【図面の簡単な説明】
【０１５１】
【図１】楽曲選択システム１０の機能ブロック図。
【図２】図２（Ａ）〜（Ｃ）は、本実施の形態の特徴について説明するための図。
【図３】本実施の形態の楽曲データの構成について説明するための図。
【図４】本実施の形態の楽曲選択の処理を示すフローチャート。
【図５】本実施の形態の楽曲選択の詳細な処理を示すフローチャート。
【図６】本実施の形態の脈拍計測部の構成を説明するための機能ブロック図。
【図７】脈拍計測部の構成の一例について説明するための図。
【図８】本実施形態の楽曲配信システムの構成の一例。
【図９】本実施形態のデジタルオーデオ装置と楽曲配信サーバの機能ブロック図。
【図１０】本実施の形態の楽曲配信システムの処理の流れを示すフローチャート。
【符号の説明】
【０１５２】
１０  楽曲選択システム、２０  処理部、３０  楽曲選択処理部、４０  脈派計測部、４２  センサ  ５０  運動量計測部、５２  センサ、６０  時刻計測部、７０  楽曲データ記憶部、８０  通信処理部、９０  デジタルオーディオ装置、９２  操作部、９４  楽曲再生部、９６  音出力部、５００  楽曲配信システム、６００  楽曲配信サーバ装置、８００  デジタルオーディオ装置
【図１】
2007052710.tif 000003
【図２】
2007052710.tif 000004
【図３】
2007052710.tif 000005
【図４】
2007052710.tif 000006
【図５】
2007052710.tif 000007
【図６】
2007052710.tif 000008
【図７】
2007052710.tif 000009
【図８】
2007052710.tif 000010
【図９】
2007052710.tif 000011
【図１０】
2007052710.tif 000012